(57)【要約】【課題】照明器具において、薄型化と、照明の向きを可変にすることと、を両立させる。【解決手段】照明器具は、内部に光源が配置された直管型光源部１と、器具本体部２と、を備え、直管型光源部１の端部を構成する回転部３１と、器具本体部２が有する回転支持部と、が回転可能に嵌合している。【選択図】図２
2019079763.tif 000002
【特許請求の範囲】
【請求項１】
内部に光源が配置された直管型光源部と、
器具本体部と、
を備え、
前記直管型光源部の端部を構成する回転部と、前記器具本体部が有する回転支持部と、が回転可能に嵌合している、照明器具。
【請求項２】
前記回転部及び前記回転支持部は、前記回転部を回転可能に支持するための互いに対向した周面を有し、一方の周面には、複数の溝部が周方向についての異なる位置に設けられており、他方の周面には、前記回転部の回転に応じて前記複数の溝部の何れかに係合する係合突起が設けられている、請求項１に記載の照明器具。
【請求項３】
前記複数の溝部は、隣接するものどうしが部分的に重なることにより前記周方向において互いに繋がっている、請求項２に記載の照明器具。
【請求項４】
前記回転部及び回転支持部のうちの少なくとも一方は透光性を有する、請求項１〜３の何れかに記載の照明器具。
【請求項５】
前記直管型光源部は、
透光性を有する筒状のカバーと、
前記光源が設置される放熱板であって、前記カバーと同方向に延びると共に当該カバーの内部に支持された放熱板と、
を有し、
前記回転部は、前記放熱板に固定される、請求項１〜４の何れかに記載の照明器具。
【請求項６】
前記放熱板には、当該放熱板に前記回転部を固定するためのネジ穴が設けられており、
前記ネジ穴は、前記カバーの中心軸より上方に位置する、請求項５に記載の照明器具。
【発明の詳細な説明】
【技術分野】
【０００１】
本発明は、直管型光源部を備えた照明器具に関する。
【背景技術】
【０００２】
照明器具には、ＬＥＤ（Light  Emitting  Diode）等の光源が内部に配置された直管型光源部を備えたものが多く存在する。又、その様な照明器具には、ケースや棚などに陳列された商品を照明するためのものが存在する。しかし、従来の照明器具は照明の向きが一方向に固定されていたため、陳列される商品の位置によっては、その商品に光があまり当たらない場合があった。
【０００３】
例えば、特許文献１には、直管型光源部による照明の向きを変化させることが可能な照明器具が開示されている。具体的には、直管型光源部は、透光性を有する円筒状のカバーと、給電用の端子が設けられた口金と、を有し、カバーの開口端部に口金が回転可能に差し込まれている。そして、口金に対してカバーを回転させることにより、カバーの内部に固定された光源の向き（即ち、照明の向き）を変化させることができる。
【先行技術文献】
【特許文献】
【０００４】
【特許文献１】特開２０１３−１０１９７５号公報
【発明の概要】
【発明が解決しようとする課題】
【０００５】
近年、直管型光源部を備えた照明器具の薄型化が進んでいるが、照明器具の薄型化に伴い、直管型光源部の径も小さくすることが必要とされる。一方、特許文献１に開示されている従来の照明器具では、直管型光源部における口金の存在を前提として、当該口金を利用して照明の向きを変化させている。このため、照明器具の薄型化のために直管型光源部の径を小さくしようとすると、円筒状のカバーの径を小さくする必要があり、これに伴い、カバーの開口端部に回転可能に差し込まれる口金の径も小さくする必要がある。しかし、端子を有する口金の小型化には限界がある。従って、従来の照明器具では、薄型化と、照明の向きを可変にすることと、を両立させることが難しかった。
【０００６】
そこで本発明の目的は、照明器具において、薄型化と、照明の向きを可変にすることと、を両立させることである。
【課題を解決するための手段】
【０００７】
本発明に係る照明器具は、内部に光源が配置された直管型光源部と、器具本体部と、を備え、直管型光源部の端部を構成する回転部と、器具本体部が有する回転支持部と、が回転可能に嵌合している。
【０００８】
上記照明器具によれば、回転部を回転させることにより、直管型光源部を中心軸周りに回転させることができる。よって、ケースや棚などに陳列される商品の位置に応じて、照明の向きを調整することができる。又、上記照明器具によれば、回転部及び回転支持部を小さいサイズで成形することができるため、照明器具の薄型化を妨げることなく、当該照明器具に対して、直管型光源部を回転させるための回転機構を構築することができる。
【０００９】
上記照明器具において、回転部及び回転支持部は、回転部を回転可能に支持するための互いに対向した周面を有する。そして、一方の周面には、複数の溝部が周方向についての異なる位置に設けられ、他方の周面には、回転部の回転に応じて複数の溝部の何れかに係合する係合突起が設けられていてもよい。この構成によれば、直管型光源部の回転角を多段階で変化させることが可能になる。又、係合突起と各溝部との係合を解除するためには、解除に必要な回転力を回転部に与える必要がある。従って、回転部や直管型光源部への商品や手の接触等が原因で意図せず照明の向きが変わってしまうということがない。
【００１０】
上記照明器具において、複数の溝部は、隣接するものどうしが部分的に重なることにより周方向において互いに繋がっていてもよい。この構成によれば、係合突起は溝部間を移動することが可能になると共に、回転部の回転操作時にクリック感が生じ、従って、回転部の操作性が向上する。
【００１１】
上記照明器具において、回転部及び回転支持部のうちの少なくとも一方は透光性を有していてもよい。この構成によれば、複数の照明器具を長手方向に繋げて配列したときに、隣り合う２つの照明器具の直管型光源部の間からも、回転部又は回転支持部を通じて光を外部に放つことができる。よって、複数の照明器具を配列したときの照明光の連続性を高めることができる。
【００１２】
上記照明器具において、直管型光源部は、透光性を有する筒状のカバーと、光源が設置される放熱板と、を有していてもよい。この構成において、放熱板は、カバーと同方向に延びると共に当該カバーの内部に支持され、回転部は、放熱板に固定されてもよい。尚、カバーは、透光性に加えて光拡散性を更に有していてもよい。
【００１３】
又、放熱板には、当該放熱板に回転部を固定するためのネジ穴が設けられていてもよい。この構成において、ネジ穴は、カバーの中心軸より上方に位置することが好ましい。この構成によれば、光源は、カバー内において、当該カバーのうちの光源の発光面と対向する部分から遠ざけて配置される。ここで、光源が複数のＬＥＤである場合、当該ＬＥＤの光は光軸周りにおいて強度が高いため、照明対象（商品等）の表面には、複数のＬＥＤから発せられたそれぞれの光が個別に映り易い。即ち、照明対象の表面に、光で形成された複数の粒が映り易い。そこで、上述した様に光源をカバーから遠ざけて配置することにより、照明対象の表面において光の粒が生じ難くなる。
【００１４】
上記照明器具において、器具本体部には、内部を露出させるための開閉可能な開閉板が設けられていてもよい。この構成において、開閉板には、開閉時の支軸となる一対の突起部が形成され、器具本体部の内壁には、一対の突起部がスライド可能に嵌合する一対のガイド溝が形成されていることが好ましい。更に、開閉板のガタツキを抑止するべく、開閉板の両側端縁（一対のガイド溝に沿う２つの端縁）に、開閉板を開いたときでもガイド溝に被さるガイド板が１つずつ設けられていることが好ましい。
【発明の効果】
【００１５】
本発明によれば、照明器具において、薄型化と、照明の向きを可変にすることと、を両立させることができる。
【図面の簡単な説明】
【００１６】
【図１】実施形態に係るＬＥＤ照明器具を概念的に示した（Ａ）正面図及び（Ｂ）底面図である。
【図２】ＬＥＤ照明器具の一部を底面側から見て示した斜視図である。
【図３】（Ａ）図１（Ａ）に示されたIIIA−IIIA線に沿う断面図、及び（Ｂ）直管型光源部の一部を示した斜視図である。
【図４】回転機構を示した分解斜視図である。
【図５】（Ａ）回転機構の断面図、及び（Ｂ）回転機構を構成する回転部を図４とは別の方向から見て示した斜視図である。
【図６】直管型光源部と回転機構とのサイズを比較した図である。
【図７】（Ａ）〜（Ｄ）直管型光源部の回転角を４段階で変化させたときのそれぞれの状態を示した図である。
【発明を実施するための形態】
【００１７】
以下、本発明をＬＥＤ照明器具に適用した実施形態について、具体的に説明する。
【００１８】
図１（Ａ）及び（Ｂ）はそれぞれ、実施形態に係るＬＥＤ照明器具を概念的に示した正面図及び底面図である。図２は、ＬＥＤ照明器具の一部を底面側から見て示した斜視図である。図１（Ａ）〜図２に示される様に、ＬＥＤ照明器具は、内部に光源（本実施形態ではＬＥＤ）が配置された直管型光源部１と、器具本体部２と、を備える。本実施形態のＬＥＤ照明器具は、用途の一例として、商品を照明するために当該商品が陳列されるケースや棚などに設置される。具体的には、ＬＥＤ照明器具は、直管型光源部１と器具本体部２とが一体構成されたものであり、ケースや棚などに器具本体部２をネジ留めすることで固定される。又、直管型光源部１は、中心軸周りに回転させることが可能であり、当該直管型光源部１の回転により照明の向きを変化させることができる。尚、直管型光源部１は、交換可能なランプとして構成されてもよい。以下、各部の詳細について説明する。
【００１９】
図３（Ａ）は、図１（Ａ）に示されたIIIA−IIIA線に沿う断面図であり、図３（Ｂ）は、直管型光源部１の一部を示した斜視図である。図３（Ａ）及び（Ｂ）に示される様に、直管型光源部１は、透光性を有する筒状のカバー１１と、当該カバー１１内に固定された放熱板１２と、当該放熱板１２の下面に設置されたＬＥＤ基板１３と、を有する。更に、直管型光源部１は、当該直管型光源部１の両端部を構成する２つの回転部３１を有する（図１（Ａ）及び（Ｂ）参照）。尚、カバー１１は、透光性に加えて光拡散性を更に有していてもよい。
【００２０】
具体的には、カバー１１は円筒状であり、当該カバー１１の内周面１１ａには、長手方向Ｄｗに延びた２つの凹部１１１Ａ及び１１１Ｂが、互いに向き合った状態で形成されている。又、当該２つの凹部１１１Ａ及び１１１Ｂは何れも、長手方向Ｄｗについての両端が凹形状のまま開放されている（図３（Ｂ）参照）。放熱板１２は、カバー１１と同方向（長手方向Ｄｗ）に延びた矩形状の金属板であり、当該金属板の長辺に沿った２つの縁部１２１Ａ及び１２１Ｂを有する。そして、放熱板１２は、２つの縁部１２１Ａ及び１２１Ｂがそれぞれ上記２つの凹部１１１Ａ及び１１１Ｂにそれぞれ嵌る様に、カバー１１内に挿入されている。これにより、２つの凹部１１１Ａ及び１１１Ｂによって放熱板１２がカバー１１の内部に支持されている。
【００２１】
放熱板１２の下面には、当該下面から縁部１２１Ａ及び１２１Ｂが下方へ突出することで、ＬＥＤ基板１３が装着される凹部１２２が形成されている（図３（Ａ）参照）。又、放熱板１２の上面には、ネジ穴１２３ａを構成する上向きＣ字状の突出部１２３が形成されている。ネジ穴１２３ａは、回転部３１を放熱板１２にネジ留めするために用いられる。そして、本実施形態では、ネジ穴１２３ａがカバー１１の中心軸より上方に位置する様に、カバー１１の内部に放熱板１２が支持されており、これにより、ＬＥＤと、カバー１１のうちのＬＥＤの発光面と対向する部分（対向部分１１２）と、の間の距離Ｌの長さが確保されている。尚、ネジ穴１２３ａがカバー１１の中心軸より「上方」に位置する状態には、直管型光源部１が回転してネジ穴１２３ａがカバー１１の中心軸に対して斜め上方に位置する場合も含まれるものとする。又、本実施形態では、突出部１２３は、長手方向Ｄｗにおいて放熱板１２と同じ長さで形成されており、当該放熱板１２の剛性を向上させている。そして、放熱板１２の剛性の向上により、直管型光源部１の撓みが低減されている。
【００２２】
ＬＥＤ基板１３は、複数のＬＥＤ（光源）が搭載された基板であり、ＬＥＤの発光面を下方へ向けた状態で放熱板１２の凹部１２２に固定されている。本実施形態では、ネジ穴１２３ａがカバー１１の中心軸より上方に位置しており、これにより、ＬＥＤは、カバー１１内において上記対向部分１１２から遠ざけて配置されている。具体的には、ＬＥＤと対向部分１１２との間の距離Ｌは２．９ｍｍであり、ＬＥＤ基板１３の長手方向（ＬＥＤ照明器具の長手方向Ｄｗに一致）におけるＬＥＤの配置間隔は４．８ｍｍである。この様に、ＬＥＤと対向部分１１２との間の距離Ｌが、ＬＥＤの配置間隔の１／２より長くなる様に、ＬＥＤ基板１３の位置が決められている。
【００２３】
ここで、各ＬＥＤの光は光軸周りにおいて強度が高いため、照明対象（商品等）の表面には、複数のＬＥＤから発せられたそれぞれの光が個別に映り易い。即ち、照明対象の表面に、光で形成された複数の粒が映り易い。そこで、上述した様にＬＥＤをカバー１１（具体的には、対向部分１１２）から遠ざけて配置することにより、照明対象の表面において光の粒が生じ難くなる。
【００２４】
図３（Ｂ）に示される様に、本実施形態では更に、直管型光源部１への給電用のケーブル１５が当該直管型光源部１の側周面から外部に引き出されている。具体的には、カバー１１の開口端部に切欠き１１ｂが設けられており、当該切欠き１１ｂを通じてケーブル１５が外部に引き出されている。よって、給電用の口金を利用した従来の照明器具とは異なり、回転部３１に給電構造を構築する必要がない。
【００２５】
図２及び図３（Ａ）に示される様に、器具本体部２は、直管型光源部１の背面側に位置するケース部２１と、当該ケース部２１の前面の上縁から前方へ延びて直管型光源部１を上から覆う鍔部２２と、を有し、これらが一体的に形成されている。更に、器具本体部２は、長手方向Ｄｗについてのケース部２１の両端部をそれぞれ覆う２つの側壁部２３（図１（Ｂ）、図２参照）と、当該２つの側壁部２３にそれぞれ形成された２つの回転支持部３２（図４参照）と、を有する。そして、２つの側壁部２３は、直管型光源部１の両端部（２つの回転部３１）とそれぞれ対向する位置まで前方へ延びている。
【００２６】
２つの回転支持部３２は、２つの回転部３１をそれぞれ回転可能に支持する。具体的には、左側の回転支持部３２は、左側の側壁部２３のうちの左側の回転部３１（直管型光源部１の左端部）と対向する位置に形成されている。そして、左側の回転部３１と左側の回転支持部３２とが回転可能に嵌合している。又、右側の回転支持部３２は、右側の側壁部２３のうちの右側の回転部３１（直管型光源部１の右端部）と対向する位置に形成されている。そして、右側の回転部３１と右側の回転支持部３２とが回転可能に嵌合している。
【００２７】
ケース部２１には、外部装置（外部電源や他のＬＥＤ照明器具を含む）との電気的な接続に用いられるケーブル４１及び接続用ソケット４２が収納されている（図２参照）。又、ケース部２１の下面には、ケース部２１の内部を露出させるための開閉可能な矩形状の開閉板１６が設けられている。尚、開閉板１６の開閉構造の詳細については、後述する。
【００２８】
上述した側壁部２３には、ケーブル４１を通すための切欠き２３ａが設けられており、外部装置との接続時には、当該切欠き２３ａにケーブル４１が通される（図２参照）。具体的には、開閉板１６を開けてケーブル４１及び接続用ソケット４２が外部に一旦引き出された後、切欠き２３ａにケーブル４１が通された状態で開閉板１６が閉じられる。尚、ＬＥＤ照明器具どうしを電気的に接続する場合、２つの接続用ソケット４２が、互いに接続された状態で何れか一方のＬＥＤ照明器具のケース部２１内に収納され、そして開閉板１６が閉じられる。この場合、当該ケース部２１には、切欠き２３ａを通じて他のＬＥＤ照明器具のケーブル４１が引き込まれることになる。
【００２９】
開閉板１６の開閉構造の詳細について説明する。図３（Ａ）に示される様に、開閉板１６には、開閉時の支軸となる一対の突起部１６１が形成されている。又、ケース部２１の内壁には、一対の突起部１６１がスライド可能に嵌合する一対のガイド溝２１ａが形成されている。この様な構成によれば、ヒンジ等の金具を用いることなく、開閉板１６の開閉構造を簡単に構築することができる。又、ヒンジ等の金具を用いる必要がないので、当該金具への接触等で生じ得るケーブル４１の損傷を防ぐことができる。
【００３０】
更に、上記開閉構造の場合、一対のガイド溝２１ａの何れにも直交する仮想線に対して開閉板１６の支軸が傾いた場合、開閉板１６にはガタツキが生じる。そこで、本実施形態では、その様なガタツキを抑止するべく、開閉板１６の両側端縁（一対のガイド溝２１ａに沿う２つの端縁）に、開閉板１６を開いたときでもガイド溝２１ａに被さるガイド板１６２が１つずつ設けられている（図２参照）。
【００３１】
本実施形態では、鍔部２２の下方であって且つケース部２１の下面位置より上方の空間内に直管型光源部１が収まる様に（図３（Ａ）参照）、当該直管型光源部１の径が決められている。よって、ＬＥＤ照明器具の厚さＴは、器具本体部２の厚さによって決められている。一例として、ＬＥＤ照明器具の厚さＴは１５ｍｍ以下であり、直管型光源部１の径として取り得る最大値は、ＬＥＤ照明器具の厚さＴから鍔部２２の厚さを差し引いた値となる。即ち、ＬＥＤ照明器具の薄型化に伴い、直管型光源部１の径が小さくなる。
【００３２】
そして、上述した回転部３１及び回転支持部３２は、ＬＥＤ照明器具の薄型化を妨げることなく、径が小さい直管型光源部１を中心軸周りに回転させることを可能にする以下の具体的な構成を有する。尚、右側の回転部３１及び回転支持部３２で構成される回転機構と、左側の回転部３１及び回転支持部３２で構成される回転機構と、は構成が同じであるので、以下では、一方の回転機構についての説明のみを行う。
【００３３】
図４は、回転機構を示した分解斜視図である。又、図５（Ａ）は、回転機構の断面図である。図４及び図５（Ａ）に示される様に、回転部３１は、直管型光源部１の端部を構成すると共に、直管型光源部１の中心軸と同軸に配される。即ち、回転部３１は、その回転軸が直管型光源部１の中心軸に一致する様に配されている。尚、図５（Ｂ）の斜視図には、図４とは別の方向から見た回転部３１が示されている。
【００３４】
本実施形態では、回転部３１は、筒部３１１と底部３１２とを有した有底円筒体であり、回転支持部３２は、筒部３１１を内側から回転可能に支持する軸部である。具体的には、回転支持部３２は円筒状であり、回転部３１の底部３１２の内面（筒部３１１側の面）には、筒部３１１内へ突出したガイド部３３０が設けられている（図５（Ａ）及び（Ｂ）参照）。ここで、ガイド部３３０は、筒部３１１との間に回転支持部３２が挟まる様に設置されており、回転部３１の回転時において回転支持部３２の内周面に沿って摺動する。これにより、回転部３１の回転軸の傾きが抑止され、当該回転部３１の滑らかな回転が実現される。
【００３５】
そして、回転部３１は、その底部３１２が、カバー１１の内部に支持された放熱板１２の端部に連結固定される。具体的には、底部３１２に、当該底部３１２を貫通するネジ穴３１２ａが設けられており（図４参照）、当該ネジ穴３１２ａを通じて放熱板１２のネジ穴１２３ａ（図３（Ａ）及び（Ｂ）参照）にネジが捩じ込まれることにより、放熱板１２の端部に回転部３１が固定される。一方、回転支持部３２は、側壁部２３に一体的に形成されている（図４参照）。尚、回転支持部３２は、側壁部２３に一体的に形成されたものに限らず、側壁部２３にネジ留め等で固定されたものであってもよい。
【００３６】
直管型光源部１における回転部３１の固定構造について、詳細に説明する。底部３１２の外面（筒部３１１とは反対側の面）には、図４に示される様に、３つの第１リブ部３３１Ａ〜３３１Ｃと、２つの第２リブ部３３２Ａ及び３３２Ｂと、が形成されている。これらのリブ部は、カバー１１の開口端部（図３（Ｂ）参照）に挿入されることにより、カバー１１に対する回転部３１の位置を決める。
【００３７】
具体的には、３つの第１リブ部３３１Ａ〜３３１Ｃは、カバー１１の内周面１１ａ（図３（Ｂ）参照）に接触することにより、回転部３１の回転軸をカバー１１の中心軸に一致させる。又、２つの第２リブ部３３２Ａ及び３３２Ｂは、凹部１１１Ａ及び１１１Ｂのそれぞれの開放端（上記凹形状のまま開放された端。図３（Ｂ）参照）に差し込まれることにより、ネジ穴３１２ａの位置が放熱板１２のネジ穴１２３ａの位置に一致する様に、カバー１１に対する中心軸周りの回転部３１の向きを決める。ここで、上述した様にネジ穴１２３ａをカバー１１の中心軸より上方に位置させたことに伴い、当該ネジ穴１２３ａに一致するネジ穴３１２ａも、カバー１１の中心軸より上方に位置している。これにより、カバー１１に対する中心軸周りの回転部３１の回転が規制される。更に、第２リブ部３３２Ａ及び３３２Ｂは、凹部１１１Ａ及び１１１Ｂにそれぞれ差し込まれたときに長手方向Ｄｗについての放熱板１２の端面に当接することにより、カバー１１内での放熱板１２の位置をも決めることができる。
【００３８】
そして、位置が一致したネジ穴３１２ａ及び１２３ａにネジを捩じ込むことにより、カバー１１に対する中心軸周りの回転部３１の回転が規制されたまま、放熱板１２の端部に回転部３１が固定される。よって、回転部３１とカバー１１とが別個に回転してしまうことがなく、従って、回転部３１を回転させたとき、その回転がそのまま直管型光源部１に伝達される。
【００３９】
上述したＬＥＤ照明器具によれば、回転部３１を回転させることにより、直管型光源部１を中心軸周りに回転させることができる。よって、ケースや棚などに陳列される商品の位置（ケース等の奥側の位置や手前側の位置など）に応じて、照明の向きを調整することができる。即ち、回転部３１を、照明の向きを変化させるための操作部として機能させることができる。よって、本実施形態では、回転部３１の操作性を向上させるべく、回転操作時の指の滑りを抑止するための突起部３１３が回転部３１の外周面３１ａに設けられている。尚、指の滑りを抑止するための構成には、外周面３１ａに突起部３１３等の引掛りを設けた構成に限らず、例えば、指との間に摩擦を生じるラバー等の部材が外周面３１ａに設けられた構成であってもよい。
【００４０】
しかも、上述した回転機構は給電構造を持たないため、当該回転機構を構成する回転部３１及び回転支持部３２を小さいサイズで成形することができる。従って、ＬＥＤ照明器具の厚さＴが小さくても、その厚さＴに応じて回転機構のサイズを小さくすることができる。具体的には、直管型光源部１の中心軸方向（即ち、長手方向Ｄｗ）から見たときに、回転機構の全体（後述する突起部３１３を除く）が直管型光源部１の断面領域内に収まる様に、当該回転機構のサイズを小さくすることができる（図６参照）。よって、ＬＥＤ照明器具の薄型化を妨げることなく、当該ＬＥＤ照明器具に対して、直管型光源部１を回転させるための回転機構を構築することができる。
【００４１】
よって、本実施形態のＬＥＤ照明器具によれば、薄型化と、照明の向きを可変にすることと、を両立させることができる。
【００４２】
尚、放熱板１２への回転部３１の固定は、ネジ留めに限らず、回転部３１の底部３１２に設けた爪部と放熱板１２との係合によるものであってもよい。又、直管型光源部１における回転部３１の固定構造は、放熱板１２への回転部３１の固定によって実現される場合に限らず、カバー１１への回転部３１の固定（例えば、摩擦係合）によって実現されてもよい。これらの構成によれば、回転部３１にネジ穴３１２ａを設ける必要がなくなるため、回転機構のサイズを更に小さくすることが可能になる。
【００４３】
又、上記回転機構において、回転支持部３２の外側に位置する回転部３１は透光性を有していることが好ましい。この構成によれば、ＬＥＤの光の一部を、回転部３１を通じて外部に放つことができる。よって、複数のＬＥＤ照明器具を長手方向Ｄｗに繋げて配列したときに、隣り合う２つのＬＥＤ照明器具の直管型光源部１の間からも、回転部３１を通じて光を外部に放つことができる。よって、複数のＬＥＤ照明器具を配列したときの照明光の連続性を高めることができる。
【００４４】
更に、上記回転機構において、回転部３１及び回転支持部３２は、回転部３１を回転可能に支持するための互いに対向した周面を有する（図５（Ａ）参照）。本実施形態では、回転部３１の内周面３１ｂ（具体的には、筒部３１１の内周面）と回転支持部３２は外周面３２ａとが、回転部３１を回転可能に支持するための互いに対向した周面となる。
【００４５】
そして、回転部３１の内周面３１ｂには、複数の溝部３１４が、周方向Ｄｃについての異なる位置に設けられている（図５（Ａ）及び（Ｂ）参照）。本実施形態では、内周面３１ｂに溝部３１４が４つ設けられている。尚、図５（Ａ）及び（Ｂ）では、それらが符号Ａ〜Ｄで区別されている。具体的には、４つの溝部３１４Ａ〜３１４Ｄは、隣接するものどうしが部分的に重なる様に設けられており、これにより周方向Ｄｃにおいて互いに繋がっている。即ち、４つの溝部３１４Ａ〜３１４Ｄは連続的に形成されており、従って、溝部の中間部（隣接する２つ溝部が重なった部分）の中心軸からの距離が、溝部がない部分の中心軸からの距離より大きくなっている。これにより、４つの溝部３１４Ａ〜３１４Ｄの間を、これらに対応する後述の係合突起３２１は移動することが可能になっている。尚、本実施形態では、４つの溝部３１４Ａ〜３１４Ｄが、それらを１組として、内周面３１ｂのうちの周方向Ｄｃについての３箇所に１組ずつ（計３組）設けられている。
【００４６】
回転支持部３２の外周面３２ａには、回転部３１の回転に応じて４つの溝部３１４Ａ〜３１４Ｄの何れかに係合する係合突起３２１が設けられている（図４及び図５（Ａ）参照）。尚、本実施形態では、係合突起３２１は、３組の溝部にそれぞれ１つずつ対応させて、計３つが外周面３２ａに設けられている。
【００４７】
この様な回転機構によれば、係合突起３２１との係合対象が４つの溝部３１４Ａ〜３１４Ｄから選択されることにより、中心軸周りについての直管型光源部１の回転角を４段階で変化させることができる（図７（Ａ）〜（Ｄ）参照）。即ち、照明の向きを４段階で変化させることができる。尚、図７（Ａ）〜（Ｄ）には、直管型光源部１の回転角を４段階で変化させたときのそれぞれの状態が示されている。図７（Ａ）〜（Ｄ）では、照明の向きが実線矢印で示され、図７（Ａ）での照明の向きを示す基準線が一点鎖線で示されている。よって、複数のＬＥＤ照明器具が一列に並べて設置されている場合、それらの照明の向きを一方向に簡単に揃えることができる。
【００４８】
又、係合突起３２１と各溝部３１４との係合を解除するためには、解除に必要な回転力を回転部３１に与える必要がある。従って、直管型光源部１（回転部３１やカバー１１）への商品や手の接触等が原因で意図せず照明の向きが変わってしまうということがない。よって、複数のＬＥＤ照明器具が一列に並べて設置されている場合、それらの照明の向きを一方向に揃えた状態で維持することができる。
【００４９】
更に、４つの溝部３１４Ａ〜３１４Ｄが連続的に形成されることにより、回転部３１の回転操作時にクリック感が生じ、従って、回転部３１の操作性が向上する。
【００５０】
尚、上述したＬＥＤ照明器具の回転機構において、回転支持部３２の外周面３２ａに複数の溝部が設けられ、当該複数の溝部の何れかに係合する係合突起が回転部３１の内周面３１ｂに設けられていてもよい。
【００５１】
又、上述したＬＥＤ照明器具において、回転部３１が、回転可能な軸部に変形され、回転支持部３２が、軸部である回転部３１を受ける軸受部に変形されてもよい。この場合、回転部３１の外周面と回転支持部３２の内周面とが、回転部３１を回転可能に支持するための互いに対向した周面となる。そして、一方の周面に、複数の溝部３１４が周方向Ｄｃについての異なる位置に設けられ、他方の周面に、回転に応じて複数の溝部３１４の何れかに係合する係合突起３２１が設けられる。又、回転部３１及び回転支持部３２のうち、径方向において外側に位置する回転支持部３２が、透光性を有していることが好ましい。
【００５２】
上述したＬＥＤ照明器具において、１つの係合突起３２１が係合対象とする溝部３１４の数は、４つに限定されない複数であってもよい。又、複数の溝部３１４は、連続している場合に限らず、周方向Ｄｃにおいて離間して設けられていてもよい。
【００５３】
更に、上述したＬＥＤ照明器具は、回転機構において溝部３１４及び係合突起３２１が省略された構成であってもよい。
【００５４】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００５５】
１  直管型光源部
２  器具本体部
１１  カバー
１１ａ  内周面
１１ｂ  切欠き
１２  放熱板
１３  ＬＥＤ基板
１５  ケーブル
１６  開閉板
２１  ケース部
２１ａ  ガイド溝
２２  鍔部
２３  側壁部
２３ａ  切欠き
３１  回転部
３１ａ  外周面
３１ｂ  内周面
３２  回転支持部
３２ａ  外周面
４１  ケーブル
４２  接続用ソケット
１１１Ａ、１１１Ｂ  凹部
１１２  対向部分
１２１Ａ、１２１Ｂ  縁部
１２２  凹部
１２３  突出部
１２３ａ  ネジ穴
１６１  突起部
１６２  ガイド板
３１１  筒部
３１２  底部
３１２ａ  ネジ穴
３１３  突起部
３１４、３１４Ａ、３１４Ｂ、３１４Ｃ、３１４Ｄ  溝部
３２１  係合突起
３３０  ガイド部
３３１Ａ、３３１Ｂ、３３１Ｃ  第１リブ部
３３２Ａ、３３２Ｂ  第２リブ部
Ｄｃ  周方向
Ｄｗ  長手方向
Ｌ  距離
Ｔ  厚さ
【図１】
2019079763.tif 000003
【図２】
2019079763.tif 000004
【図３】
2019079763.tif 000005
【図４】
2019079763.tif 000006
【図５】
2019079763.tif 000007
【図６】
2019079763.tif 000008
【図７】
2019079763.tif 000009